(57)【特許請求の範囲】
【請求項１】
車両に搭載されたエンジンと、
前記エンジンの出力を変速して駆動輪に伝達するよう構成された変速機と、
前記エンジンの排気通路に配置された第１タービン、及び、前記エンジンの吸気通路に配置された第１コンプレッサを有しかつ、前記エンジンの運転状態が予め設定された低回転側の第１領域にあるときに作動をする第１ターボ過給機と、
前記排気通路における前記第１タービンよりも下流側に配置された第２タービン、及び、前記吸気通路に配置された第２コンプレッサを有しかつ、前記エンジンの運転状態が、前記第１領域よりも高回転側の第２領域にあるときに少なくとも作動をする第２ターボ過給機と、
前記第１タービンをバイパスするバイパス路に配置されかつ、その開度を調整することによって前記第１ターボ過給機の作動を制御するよう構成された流量調整弁と、
前記第１タービンよりも上流側における排気圧力を直接的又は間接的に把握するように構成された排気圧力把握手段と、
前記エンジンの運転状態に応じた目標過給圧に基づき設定された目標開度となるように前記流量調整弁の開度をフィードバック制御する制御器と、を備え、
前記制御器は、前記排気圧力把握手段によって把握された排気圧力に基づき、所定の上限排気圧力を超えないような前記流量調整弁のガード開度を設定すると共に、前記変速機が少なくとも所定以下の低速段にあるときであって、前記フィードバック制御される前記流量調整弁の開度が前記ガード開度よりも小さくなるときには、前記ガード開度となるように前記流量調整弁の開度を調整し、
前記排気圧力把握手段は、少なくとも排気流量、並びに、前記第１及び第２コンプレッサの圧力比に基づいて、前記流量調整弁を全閉にしている状態での前記排気圧力を予測する車両搭載のターボ過給機付エンジンの制御装置。
【請求項２】
請求項１に記載の車両搭載のターボ過給機付エンジンの制御装置において、
前記制御器は、前記エンジンの運転状態が、前記第１領域内における前記第２領域との境界付近を通過するような前記車両の加速時に、前記ガード開度に基づく前記流量調整弁の開度調整を行う車両搭載のターボ過給機付エンジンの制御装置。
【請求項３】
請求項１又は２に記載の車両搭載のターボ過給機付エンジンの制御装置において、
前記変速機は、ロックアップ機構付トルクコンバータを有する自動変速機であり、
前記制御器は、所定の低車速以上において前記ロックアップ機構を締結させる車両搭載のターボ過給機付エンジンの制御装置。
【請求項４】
請求項１〜３のいずれか１項に記載の車両搭載のターボ過給機付エンジンの制御装置において、
前記制御器は、前記ガード開度に従って前記流量調整弁の開度調整を行うときには、前記エンジンに対する燃料供給量を減量させる車両搭載のターボ過給機付エンジンの制御装置。
【発明の詳細な説明】
【技術分野】
【０００１】
ここに開示する技術は、車両搭載のターボ過給機付エンジンの制御装置に関する。
【背景技術】
【０００２】
特許文献１には、排気通路の上流側に配置された小型タービンを有する小型ターボ過給機と、小型タービンよりも下流側に配置された大型タービンを有する大型ターボ過給機とを備えたディーゼルエンジンにおいて、エンジンの低速低負荷領域では、小型タービンをバイパスするバイパス路に設けたレギュレートバルブ（つまり、流量調整弁）を閉じることによって、低排気エネルギでも小型ターボ過給機を作動させて過給圧を得る一方、エンジンの高速高負荷領域では、レギュレートバルブを開けることによって、小型ターボ過給機を非作動にし、排気抵抗を低減することが記載されている。つまり、レギュレートバルブの開度は、エンジンの運転状態に応じて設定される目標過給圧に従って、当該目標過給圧が達成されるようにフィードバック制御され、これにより、広い運転領域で応答性良く過給圧が得られて、トルク及び燃費の向上のみならず、排気エミッション性の向上にも有利になる。
【先行技術文献】
【特許文献】
【０００３】
【特許文献１】特開２００６−７０８７８号公報
【発明の概要】
【発明が解決しようとする課題】
【０００４】
ところが、少なくとも小型ターボ過給機を含む過給機付エンジンは、例えば低速段での全開加速時のような走行時に排気圧力が上昇しやすく、前述の通り、目標過給圧に基づいてレギュレートバルブの開度をフィードバック制御していたのでは、排気圧力が高くなりすぎて、排気系の信頼性の拘束条件を保証できなくなる場合がある。
【０００５】
特に、トルクコンバータを有する自動変速機が搭載された車両では、急加速時にはトルクコンバータのスリップによってエンジンの回転数が急上昇してしまい排気圧力の急上昇を招きやすい。自動変速機はまた、加速時のキックダウンによって変速段が低速側に切り替わることで、排気圧力が高くなりすぎるような状態を、より一層招きやすいという問題がある。
【０００６】
ここに開示する技術は、かかる点に鑑みてなされたものであり、その目的とするところは、車両搭載のターボ過給機付エンジンにおいて、目標過給圧に基づきターボ過給機の作動を制御して燃費及び排気エミッション性を向上させることと、排気圧力が過剰に上昇することを防止して排気系の信頼性を確保することと、を両立させることにある。
【課題を解決するための手段】
【０００７】
ここに開示する車両搭載のターボ過給機付エンジンの制御装置は、車両に搭載されたエンジンと、前記エンジンの出力を変速して駆動輪に伝達するよう構成された変速機と、前記エンジンの排気通路に配置された第１タービン、及び、前記エンジンの吸気通路に配置された第１コンプレッサを有しかつ、前記エンジンの運転状態が予め設定された低回転側の第１領域にあるときに作動をする第１ターボ過給機と、前記排気通路における前記第１タービンよりも下流側に配置された第２タービン、及び、前記吸気通路に配置された第２コンプレッサを有しかつ、前記エンジンの運転状態が、前記第１領域よりも高回転側の第２領域にあるときに少なくとも作動をする第２ターボ過給機と、前記第１タービンをバイパスするバイパス路に配置されかつ、その開度を調整することによって前記第１ターボ過給機の作動を制御するよう構成された流量調整弁と、前記第１タービンよりも上流側における排気圧力を直接的又は間接的に把握するように構成された排気圧力把握手段と、前記エンジンの運転状態に応じた目標過給圧に基づき設定された目標開度となるように前記流量調整弁の開度をフィードバック制御する制御器と、を備える。
【０００８】
そして、前記制御器は、前記排気圧力把握手段によって把握された排気圧力に基づき、所定の上限排気圧力を超えないような前記流量調整弁のガード開度を設定すると共に、前記変速機が少なくとも所定以下の低速段にあるときであって、前記フィードバック制御される前記流量調整弁の開度が前記ガード開度よりも小さくなるときには、前記ガード開度となるように前記流量調整弁の開度を調整する。
【０００９】
ここで、「排気圧力把握手段」は、エンジンの排気通路に配置されて排気圧力を直接検出する排気圧力センサとしてもよいし、後述するように、排気圧力センサを用いずに、種々のパラメータから、排気圧力を予測する構成を採用してもよい。
【００１０】
「所定の上限排気圧力」は、エンジンの排気系の信頼性の拘束条件を満足させることが可能な排気圧力の上限値として、適宜、設定すればよい。
【００１１】
前記の構成によると、エンジンの運転状態が低回転側の第１領域にあるときには、少なくとも第１ターボ過給機が作動し、エンジンの運転領域が高回転側の第２領域にあるときには、第２ターボ過給機が作動する。つまり、この構成は、２ステージターボ過給機であり、第１ターボ過給機の作動状態は、バイパス路に設けられた流量調整弁の開度によって制御される。具体的には、流量調整弁を閉じたときには、排気ガスが第１タービンを通過するようになるため、第１ターボ過給機が作動し、逆に流量調整弁を開けたときには、排気ガスが第１タービンをバイパスするようになるため、第１ターボ過給機が非作動となる。
【００１２】
制御器は、エンジンの運転状態に応じた目標過給圧に基づき設定された目標開度となるように、流量調整弁の開度を調整する。これは２ステージターボ過給機の通常の制御に相当し、この目標過給圧に基づくフィードバック制御によって、前述の通り、エンジンの運転状態が低回転側の第１領域にあるときには、少なくとも第１ターボ過給機が作動し、エンジンの運転領域が高回転側の第２領域にあるときには、第２ターボ過給機が作動する。これにより、広い運転領域で、応答性良く必要な過給圧が得られて、トルク及び燃費の向上に有利になると共に、エミッション性も向上する。
【００１３】
制御器はまた、排気圧力把握手段によって把握された排気圧力に基づき、所定の上限排気圧力を超えないような流量調整弁のガード開度を設定する。このガード開度は、排気圧力を上限排気圧力以下に維持することが可能な、流量調整弁の最小開度と言い換えることが可能であり、排気圧力が高いほど、ガード開度が大きくなるように設定すればよい。
【００１４】
そうして制御器は、変速機が少なくとも所定以下の低速段にあるときであって、フィードバック制御される流量調整弁の開度が、設定したガード開度よりも小さくなるときには、ガード開度となるように流量調整弁の開度を調整する。尚、流量調整弁の実際の開度とガード開度とを比較してもよいし、フィードバック制御に係る目標開度とガード開度とを比較してもよい。これによって、変速機が所定以下の低速段にあるときには、全開加速等によるエンジン回転数の急上昇に伴い、排気圧力が急激に高まりやすいが、そのようなときであっても、排気圧力の上昇が抑制されて、上限排気圧力を超えてしまうことが未然に回避される。その結果、排気系の信頼性の拘束条件が保証される。
【００１５】
こうして、目標過給圧に基づく目標開度に従って流量調整弁の開度を調整することと、排気圧力に基づいて設定されたガード開度に従って流量調整弁の開度を調整することとを組み合わせることで、燃費及び排気エミッション性を向上させることと、排気系の信頼性を確保することとが両立する。
【００１６】
ここで、ガード開度は、変速機の変速段を考慮して設定してもよい。つまり、変速機が低速段であるほど、排気圧力の上昇速度が高くなって、上限排気圧力を超えやすくなることから、変速機が低速段であるほど、ガード開度が大きくなるように設定してもよい。こうすることで、変速機の変速段に拘わらず、排気圧力が、その上限を超えてしまうことを、確実にかつ適切に回避することが可能になる。
【００１７】
前記排気圧力把握手段は、少なくとも排気流量、並びに、前記第１及び第２コンプレッサの圧力比に基づいて、前記流量調整弁を全閉にしている状態での前記排気圧力を予測する。
【００１８】
排気圧力の予測を行うことによって、排気圧力を検知するためのセンサを省略することができる。
【００１９】
また、流量調整弁のガード開度の設定に際し予測する排気圧力を、流量調整弁を全閉にしている状態での排気圧力とすることによって、流量調整弁の応答遅れ等の要因により制御が不安定になってしまうことが回避されて、制御の安定化が図られる。
【００２０】
前記制御器は、前記エンジンの運転状態が、前記第１領域内における前記第２領域との境界付近を通過するような前記車両の加速時に、前記ガード開度に基づく前記流量調整弁の開度調整を行う、としてもよい。
【００２１】
すなわち、エンジンの運転状態が第１領域における第２領域との境界付近にあるときには、排気流量が多くなる一方で、第１ターボ過給機が作動する領域であって流量調整弁は全開にならないため、排気圧力が上昇しやすい。そこで、この第２領域との境界付近を通過するような加速時に、前述したガード開度に基づく流量調整弁の開度調整を行うことで、排気圧力が上限を超えてしまうことが回避されて、排気系の信頼性が確実に確保される。
【００２２】
前記変速機は、ロックアップ機構付トルクコンバータを有する自動変速機であり、前記制御器は、所定の低車速以上において前記ロックアップ機構を締結させる、としてもよい。
【００２３】
トルクコンバータを有する自動変速機は、車両の加速時に、トルクコンバータのスリップによってエンジン回転数の急上昇を招きやすいところ、前述したガード開度に基づく流量調整弁の開度調整によって、排気圧力が上限排気圧力を超えてしまうことを未然に回避することが可能になる。
【００２４】
また、前記の構成では、ロックアップ機構を低車速の状態から締結させることによって、トルクコンバータのスリップが抑制されるから、排気圧力の急上昇自体が抑制される。このことによって、ガード開度に基づく流量調整弁の開度調整はあまり行われず、逆に、目標過給圧に基づく流量調整弁の開度調整の方がより多く行われるようになるから、トルク及び燃費の向上、並びに、排気エミッション性の向上に有利になる。
【００２５】
前記制御器は、前記ガード開度に従って前記流量調整弁の開度調整を行うときには、前記エンジンに対する燃料供給量を減量させる、としてもよい。
【００２６】
ガード開度に従って流量調整弁の開度調整を行うときには、第１ターボ過給機の作動が抑制される結果、エンジンの運転状態に応じた目標過給圧に満たないことになり、その分、気筒内に供給される新気量が減少することになり得る。そこで、ガード開度に従って流量調整弁の開度調整を行うときには、エンジンに対する燃料供給量を減量させることにより、スモークの発生が抑制される。
【発明の効果】
【００２７】
以上説明したように、前記の車両搭載のターボ過給機付エンジンの制御装置によると、所定の上限排気圧力を超えないような流量調整弁のガード開度を設定すると共に、目標過給圧に基づいてフィードバック制御される流量制御弁の開度がガード開度以上のときには、目標開度となるように流量調整弁の開度を調整する一方、変速機が少なくとも所定以下の低速段にあるときであって、流量制御弁の開度がガード開度よりも小さくなるときには、ガード開度となるように流量調整弁の開度を調整することにより、燃費及び排気エミッション性を向上させることと、排気系の信頼性を確保することとが両立する。
【図面の簡単な説明】
【００２８】
【図１】ディーゼルエンジンの構成を示す概略図である。
【図２】ディーゼルエンジンの制御に係るブロック図である。
【図３】２ステージターボ過給機の作動マップの一例を示す図である。
【図４】予測排気圧力に応じて設定されるガード開度の設定マップの一例である。
【図５】排気圧ガード制御を実行したときと、実行しないときとで、（ａ）排気圧力の変化、（ｂ）レギュレートバルブ開度の変化の相違を示す説明図である。
【図６】ＰＣＭが実行するエンジン制御のフローチャートである。
【図７】排気圧ガード制御を実行したときの（ａ）エンジン回転数、（ｂ）アクセル開度、（ｃ）燃料噴射量、（ｄ）過給圧、（ｅ）排気圧力、（ｆ）レギュレートバルブ開度、の各変化に係るタイムチャートの実例である。
【発明を実施するための形態】
【００２９】
以下、実施形態に係るディーゼルエンジンを図面に基づいて説明する。尚、以下の好ましい実施形態の説明は、本質的に例示に過ぎない。図１，２は、実施形態に係るエンジン１の概略構成を示す。このエンジン１は、車両に搭載されると共に、軽油を主成分とした燃料が供給されるディーゼルエンジンである。このエンジン１が搭載される車両は、自動変速機７３を備えたＡＴ車であって、エンジン１の駆動に伴う出力トルクは、クランクシャフト１５に対しロックアップクラッチ付のトルクコンバータ７２を介して連結された自動変速機７３を通じて駆動輪７４に伝達されることになる。
【００３０】
エンジン１は、複数の気筒１１ａ（１つのみ図示）が設けられたシリンダブロック１１と、このシリンダブロック１１上に配設されたシリンダヘッド１２と、シリンダブロック１１の下側に配設され、潤滑油が貯溜されたオイルパン１３とを有している。このエンジン１の各気筒１１ａ内には、ピストン１４が往復動可能にそれぞれ嵌挿されていて、このピストン１４の頂面にはリエントラント形燃焼室１４ａを区画するキャビティが形成されている。このピストン１４は、コンロッド１４ｂを介してクランクシャフト１５と連結されている。
【００３１】
前記シリンダヘッド１２には、各気筒１１ａ毎に吸気ポート１６及び排気ポート１７が形成されているとともに、これら吸気ポート１６及び排気ポート１７の燃焼室１４ａ側の開口を開閉する吸気弁２１及び排気弁２２がそれぞれ配設されている。
【００３２】
これら吸排気弁２１，２２をそれぞれ駆動する動弁系において、排気弁側には、当該排気弁２２の作動モードを通常モードと特殊モードとに切り替える油圧作動式の可変機構（図２参照。以下、ＶＶＭ（Variable Valve Motion）と称する）が設けられている。このＶＶＭ７１は、その構成の詳細な図示は省略するが、カム山を１つ有する第１カムとカム山を２つ有する第２カムとの、カムプロファイルの異なる２種類のカム、及び、その第１及び第２カムのいずれか一方のカムの作動状態を選択的に排気弁２２に伝達するロストモーション機構を含んで構成されており、第１カムの作動状態を排気弁２２に伝達しているときには、排気弁２２は、排気行程中において一度だけ開弁される通常モードで作動するのに対し、第２カムの作動状態を排気弁２２に伝達しているときには、排気弁２２が、排気行程中において開弁すると共に、吸気行程中においても開弁するような、いわゆる排気の二度開きを行う特殊モードで作動する。
【００３３】
ＶＶＭ７１の通常モードと特殊モードとの切り替えは、エンジン駆動の油圧ポンプ（図示省略）から供給される油圧によって行われ、特殊モードは、内部ＥＧＲに係る制御の際に利用される。尚、こうした通常モードと特殊モードとの切り替えを可能にする上で、排気弁２２を電磁アクチュエータによって駆動する電磁駆動式の動弁系を採用してもよい。また、内部ＥＧＲの実行としては、排気の二度開きに限定されるものではなく、例えば吸気弁２１を２回開く、吸気の二度開きによって内部ＥＧＲ制御を行ってもよいし、排気行程乃至吸気行程において吸気弁２１及び排気弁２２の双方を閉じるネガティブオーバーラップ期間を設けて既燃ガスを残留させる内部ＥＧＲ制御を行ってもよい。尚、ＶＶＭ７１による内部ＥＧＲ制御は、主に燃料の着火性が低いエンジン１の冷間時に行われる。
【００３４】
前記シリンダヘッド１２には、燃料を噴射するインジェクタ１８と、エンジン１の冷間時に各気筒１１ａ内の吸入空気を暖めて燃料の着火性を高めるためのグロープラグ１９とが設けられている。前記インジェクタ１８は、その燃料噴射口が燃焼室１４ａの天井面から該燃焼室１４ａに臨むように配設されていて、基本的には圧縮行程上死点付近で、燃焼室１４ａに燃料を直接噴射供給するようになっている。
【００３５】
前記エンジン１の一側面には、各気筒１１ａの吸気ポート１６に連通するように吸気通路３０が接続されている。一方、前記エンジン１の他側面には、各気筒１１ａの燃焼室１４ａからの既燃ガス（つまり、排気ガス）を排出する排気通路４０が接続されている。これら吸気通路３０及び排気通路４０には、詳しくは後述するが、吸入空気の過給を行う大型ターボ過給機６１と小型ターボ過給機６２とが配設されている。
【００３６】
吸気通路３０の上流端部には、吸入空気を濾過するエアクリーナ３１が配設されている。一方、吸気通路３０における下流端近傍には、サージタンク３３が配設されている。このサージタンク３３よりも下流側の吸気通路３０は、各気筒１１ａ毎に分岐する独立通路とされ、これら各独立通路の下流端が各気筒１１ａの吸気ポート１６にそれぞれ接続されている。
【００３７】
吸気通路３０におけるエアクリーナ３１とサージタンク３３との間には、大型及び小型ターボ過給機６１、６２のコンプレッサ６１ａ，６２ａと、該コンプレッサ６１ａ，６２ａにより圧縮された空気を冷却するインタークーラ３５と、前記各気筒１１ａの燃焼室１４ａへの吸入空気量を調節するスロットル弁３６とが配設されている。このスロットル弁３６は、基本的には全開状態とされるが、エンジン１の停止時には、ショックが生じないように全閉状態とされる。
【００３８】
前記排気通路４０の上流側の部分は、各気筒１１ａ毎に分岐して排気ポート１７の外側端に接続された独立通路と該各独立通路が集合する集合部とを有する排気マニホールドによって構成されている。
【００３９】
この排気通路４０における排気マニホールドよりも下流側には、上流側から順に、小型ターボ過給機６２のタービン６２ｂ、大型ターボ過給機６１のタービン６１ｂと、排気ガス中の有害成分を浄化する排気浄化装置４１と、サイレンサ４２とが配設されている。
【００４０】
この排気浄化装置４１は、酸化触媒４１ａと、ディーゼルパティキュレートフィルタ（以下、フィルタという）４１ｂとを有しており、上流側から、この順に並んでいる。酸化触媒４１ａ及びフィルタ４１ｂは１つのケース内に収容されている。前記酸化触媒４１ａは、白金又は白金にパラジウムを加えたもの等を担持した酸化触媒を有していて、排気ガス中のＣＯ及びＨＣが酸化されてＣＯ２及びＨ２Ｏが生成する反応を促すものである。また、前記フィルタ４１ｂは、エンジン１の排気ガス中に含まれる煤等の微粒子を捕集するものである。尚、フィルタ４１ｂに酸化触媒をコーティングしてもよい。このエンジン１は、後述するように、低圧縮比化によってＲａｗＮＯｘの生成を大幅に低減乃至無くしており、ＮＯｘ処理用の触媒を省略している。
【００４１】
前記吸気通路３０における前記サージタンク３３とスロットル弁３６との間の部分（つまり小型ターボ過給機６２の小型コンプレッサ６２ａよりも下流側部分）と、前記排気通路４０における前記排気マニホールドと小型ターボ過給機６２の小型タービン６２ｂとの間の部分（つまり小型ターボ過給機６２の小型タービン６２ｂよりも上流側部分）とは、排気ガスの一部を吸気通路３０に還流するための排気ガス還流通路５１によって接続されている。この排気ガス還流通路５１には、排気ガスの吸気通路３０への還流量を調整するための排気ガス還流弁５１ａ及び排気ガスをエンジン冷却水によって冷却するためのＥＧＲクーラ５２とが配設されている。
【００４２】
大型ターボ過給機６１は、吸気通路３０に配設された大型コンプレッサ６１ａと、排気通路４０に配設された大型タービン６１ｂとを有している。大型コンプレッサ６１ａは、吸気通路３０におけるエアクリーナ３１とインタークーラ３５との間に配設されている。一方、大型タービン６１ｂは、排気通路４０における排気マニホールドと酸化触媒４１ａとの間に配設されている。
【００４３】
小型ターボ過給機６２は、吸気通路３０に配設された小型コンプレッサ６２ａと、排気通路４０に配設された小型タービン６２ｂとを有している。小型コンプレッサ６２ａは、吸気通路３０における大型コンプレッサ６１ａの下流側に配設されている。一方、小型タービン６２ｂは、排気通路４０における大型タービン６１ｂの上流側に配設されている。
【００４４】
すなわち、吸気通路３０においては、上流側から順に大型コンプレッサ６１ａと小型コンプレッサ６２ａとが直列に配設され、排気通路４０においては、上流側から順に小型タービン６２ｂと大型タービン６１ｂとが直列に配設されている。これら大型及び小型タービン６１ｂ，６２ｂが排気ガス流により回転し、これら大型及び小型タービン６１ｂ，６２ｂの回転により、該大型及び小型タービン６１ｂ，６２ｂとそれぞれ連結された前記大型及び小型コンプレッサ６１ａ，６２ａがそれぞれ作動する。
【００４５】
小型ターボ過給機６２は、相対的に小型のものであり、大型ターボ過給機６１は、相対的に大型のものである。すなわち、大型ターボ過給機６１の大型タービン６１ｂの方が小型ターボ過給機６２の小型タービン６２ｂよりもイナーシャが大きい。
【００４６】
吸気通路３０には、小型コンプレッサ６２ａをバイパスする小型吸気バイパス通路６３が接続されている。この小型吸気バイパス通路６３には、該小型吸気バイパス通路６３へ流れる空気量を調整するための小型吸気バイパス弁６３ａが配設されている。この小型吸気バイパス弁６３ａは、無通電時には全閉状態（つまり、ノーマルクローズ）となるように構成されている。
【００４７】
一方、排気通路４０には、小型タービン６２ｂをバイパスする小型排気バイパス通路６４と、大型タービン６１ｂをバイパスする大型排気バイパス通路６５とが接続されている。小型排気バイパス通路６４には、該小型排気バイパス通路６４へ流れる排気量を調整するためのレギュレートバルブ６４ａが配設され、大型排気バイパス通路６５には、該大型排気バイパス通路６５へ流れる排気量を調整するためのウエストゲートバルブ６５ａが配設されている。レギュレートバルブ６４ａ及びウエストゲートバルブ６５ａは共に、無通電時には全開状態（つまり、ノーマルオープン）となるように構成されている。
【００４８】
これら大型ターボ過給機６１と小型ターボ過給機６２は、それらが配設された吸気通路３０及び排気通路４０の部分も含めて、一体的にユニット化されて、過給機ユニット６０を構成している。この過給機ユニット６０がエンジン１に取り付けられている。
【００４９】
このように構成されたディーゼルエンジン１は、パワートレイン・コントロール・モジュール（以下、ＰＣＭという）１０によって制御される。ＰＣＭ１０は、ＣＰＵ、メモリ、カウンタタイマ群、インターフェース及びこれらのユニットを接続するパスを有するマイクロプロセッサで構成されている。このＰＣＭ１０が制御器を構成する。ＰＣＭ１０には、図２に示すように、エンジン冷却水の温度を検出する水温センサＳＷ１、サージタンク３３に取り付けられて、燃焼室１４ａに供給される空気の圧力を検出する過給圧センサＳＷ２、吸入空気の温度を検出する吸気温度センサＳＷ３、クランクシャフト１５の回転角を検出するクランク角センサＳＷ４、車両のアクセルペダル（図示省略）の操作量に対応したアクセル開度を検出するアクセル開度センサＳＷ５、排気中の酸素濃度を検出するＯ２センサＳＷ６、エアクリーナ３１の下流側に配置されかつ新気の流量を検出するエアフローセンサＳＷ７、大型コンプレッサ６１ａと小型コンプレッサ６２ａとの中間位置に配置されかつ大型コンプレッサ６１ａ下流側の圧力を検出する中間圧センサＳＷ８、及び、フィルタ４１ｂの上流側と下流側との圧力差を検出するＤＰＦ差圧センサＳＷ９の検出信号が入力され、これらの検出信号に基づいて種々の演算を行うことによってエンジン１や車両の状態を判定し、これに応じてインジェクタ１８、グロープラグ１９，動弁系のＶＶＭ７１、各種の弁３６、５１ａのアクチュエータへ制御信号を出力する。ＰＣＭ１０はまた、ロックアップクラッチ７２ａ及び自動変速機７３に対しても、制御信号を出力する。
【００５０】
このエンジンシステムにおいては、比較的低速の所定車速以下から、ロックアップクラッチ７２ａを締結するようにしており、ロックアップクラッチの締結領域が比較的広いことが特徴的である。
【００５１】
さらに、ＰＣＭ１０は、エンジンの運転状態において大型及び小型ターボ過給機６１、６２の動作を制御している。具体的には、ＰＣＭ１０は、小型吸気バイパス弁６３ａ、レギュレートバルブ６４ａ及びウエストゲートバルブ６５ａの各開度を、エンジン１の運転状態に応じて設定された目標過給圧となるように制御する。詳しくは、図３に作動マップの一例を示すように、ＰＣＭ１０は、低回転側の第１領域（Ａ）では、小型吸気バイパス弁６３ａ及びレギュレートバルブ６４ａを全開以外の開度とし、ウエストゲートバルブ６５ａを全閉状態とすることによって、小型ターボ過給機６２のみ、又は、大型及び小型ターボ過給機６１、６２の両方を作動させる。一方、高回転側の第２領域（Ｂ）では、小型ターボ過給機６２が排気抵抗になるため、小型吸気バイパス弁６３ａ及びレギュレートバルブ６４ａを全開状態とし、ウエストゲートバルブ６５ａを全閉状態に近い開度にすることによって、小型ターボ過給機６２をバイパスさせて大型ターボ過給機６１のみを作動させる。
【００５２】
そうして、このエンジン１は、その幾何学的圧縮比を１２以上１６未満（例えば１４）とした、比較的低圧縮比となるように構成されており、これによって排気エミッション性能の向上及び熱効率の向上を図るようにしている。
【００５３】
（エンジンの燃焼制御の概要）
前記ＰＣＭ１０によるエンジン１の基本的な制御は、主にアクセル開度に基づいて目標トルク（言い換えると目標となる負荷）を決定し、これに対応する燃料の噴射量や噴射時期等をインジェクタ１８の作動制御によって実現するものである。目標トルクは、アクセル開度が大きくなるほど、またエンジン回転数が高くなるほど、大きくなるように設定され、目標トルクとエンジン回転数とに基づいて燃料の噴射量が設定される。噴射量は、目標トルクが高くなるほど、また、エンジン回転数が高くなるほど大きくなるように設定される。また、スロットル弁３６、及び排気ガス還流弁５１ａの開度の制御（つまり、外部ＥＧＲ制御）や、ＶＶＭ７１の制御（つまり、内部ＥＧＲ制御）によって、気筒１１ａ内への排気の還流割合を制御する。
【００５４】
さらに、ＰＣＭ１０は、定常時には、エンジン１の運転状態に応じて目標過給圧を設定し、その目標過給圧が達成されるように、レギュレートバルブ６４ａ及びウエストゲートバルブ６５ａの開度調整を行うと共に、小型吸気バイパス弁６３ａの開閉を制御する過給圧フィードバック制御を行う。
【００５５】
（排気圧ガード制御）
前述の通り、このエンジン１は、小型ターボ過給機６２を有するシステムであると共に、車両は、トルクコンバータ７２付の自動変速機７３を有するため、低速段（例えば３速以下）での全開加速時のような運転状態においては、排気圧力が上昇しやすい。つまり、変速段が低速段であるほどエンジン回転数の上昇速度が高くなるため、排気圧力の急上昇を招きやすく、自動変速機７３においてはまた、加速時のキックダウンによって変速段が低速側に変更されることで、排気圧力の急上昇を招きやすい状況になり得る。
【００５６】
このような全開加速は、図３においては、例えば第１領域（Ａ）内の、低負荷中回転の状態からエンジンの負荷が高まって全負荷付近となり、その後、エンジン回転数が高まって、第２領域へ（Ｂ）と移行するように、エンジンの運転状態が遷移することに対応する（同図の矢印参照）。
【００５７】
前述したように、レギュレートバルブ６４ａの開度を、エンジン１の運転状態に対応する目標過給圧に基づいてフィードバック制御していたのでは、低速段での急加速時に、排気圧力が高くなりすぎて、排気系の信頼性の拘束条件を保証できなくなる場合がある。このような状況は、図３において破線で示すような、第１領域（Ａ）内における第２領域（Ｂ）との境界付近を通過するような加速時において顕著であり、これは、この破線で囲む領域付近は、排気流量が多い一方で、小型ターボ過給機６２の作動領域であって、基本的に、レギュレートバルブ６４ａは全開ではないためである。
【００５８】
尚、このエンジン１においては、前述したように、ロックアップクラッチ７２ａを、比較的低車速の状態から締結させるため、急加速時におけるトルクコンバータ７２のスリップはなく、そのスリップによるエンジン回転数の急上昇は、基本的には回避されている。
【００５９】
このような排気圧力の急上昇を考慮して、このエンジンシステムでは、目標過給圧に基づくフィードバック制御と、排気圧力が排気系の信頼性の拘束条件から設定される上限圧力を超えないように設定する、レギュレートバルブ６４ａのガード開度に基づく排気圧ガード制御と、を組み合わせている。ガード開度とは、排気圧力が上限排気圧力以下に維持することが可能となる、レギュレートバルブ６４ａの最小開度であり、図４に示すように、排気圧力と自動変速機７３の変速段とに応じて設定される。図４のマップにおける排気圧力は、実験結果等に基づいて設定されるモデル式に従って算出される予測排気圧力であり、この予測排気圧力は、排気流量、前記第１及び第２コンプレッサ６１ａ、６２ａの圧力比、並びに、排気系の圧力損失に基づき予測した、レギュレートバルブ６４ａを閉じた状態での排気圧力である。具体的に、予測排気圧力P_EXpre は、下記モデル式（１）に従って算出される。
P_EXpre＝α×G_EX＋β×πｃ＋P_loss＋PATM＋γ  …（１）
ここで、G_EX は、排気流量であり、エアフローセンサＳＷ７によって検出された新気の流量と、燃料噴射量とから求められる。πc は、コンプレッサ圧力比であり、大気圧、中間圧センサＳＷ８の検出値、及び、過給圧センサＳＷ２の検出値に基づいて算出される。このエンジン１の過給システムは、大型コンプレッサ６１ａと小型コンプレッサ６２ａとを含む２ステージターボ過給機によって構成されるため、コンプレッサ圧力比は、大型コンプレッサ６１ａの圧力比と小型コンプレッサ６２ａの圧力比との積である。P_loss は、排気系の圧力損失であり、ここに示すエンジンシステムでは、排気流量及びＤＰＦ差圧センサＳＷ９の検出値に基づいて算出される。PATM は大気圧、α、β、γはそれぞれ、実験結果から得られる重回帰係数である。
【００６０】
ガード開度は、図４に示すように、予測排気圧力が高いほど開度が大きくなるように設定されると共に、同図に実線で示す低速段のときには、同図において破線で示す中速段、及び、一点鎖線で示す高速段のときよりも、開度が大きくなるように設定される。つまり、自動変速機７３が低速段であるほど、全開加速時等におけるエンジン回転数の上昇速度が高くなるものの、レギュレートバルブ６４ａの応答遅れ等も考慮して、変速段が低速段ほど、ガード開度を大きく設定して、レギュレートバルブ６４ａの開度を予め大きくしておく結果、排気圧力の上昇を抑制して、排気圧力が上限排気圧力を超えてしまうことが、未然に回避されるようになる。
【００６１】
尚、図４に示すマップでは、排気流量及び（予測）排気圧力が所定よりも低くなるようなときには、排気圧ガード制御がそもそも不要であるとして、ガード開度を０に設定する一方、排気圧ガード制御が不要な状態と、排気圧力が所定以上になって排気圧ガード制御が必要となり得る状態との間に「つなぎ」を設けるために、ガード開度を、０から次第に大きくなるようにしている。
【００６２】
図５は、排気圧ガード制御のイメージを示しており、同図における実線は、排気圧ガード制御を行った場合、同図における破線は、排気圧ガード制御を行わず、目標過給圧に基づくレギュレートバルブ６４ａのフィードバック制御のみを行った場合に対応する。
【００６３】
図５（ａ）は排気圧力の時間変化を、同図（ｂ）はレギュレートバルブ６４ａの開度の時間変化をそれぞれ示している。先ず、レギュレートバルブ６４ａの開度が、目標開度（図５（ｂ）の破線参照）となるように、フィードバック制御されている状態で、急加速等によって排気圧力が次第に上昇をし、例えば時刻Ｔ１において、その排気圧力が所定の排気圧力を超えるとする。このときに、目標過給圧に基づく目標開度は、一定の状態から開き側に変更される。また、これに並行して、予測排気圧力に基づいて図４に示すマップに従いガード開度が設定される（同図（ｂの一点鎖線参照）。ここで、時刻Ｔ１において、このガード開度が目標開度よりも大きくなったと仮定する。このときには、目標開度に基づいて制御されるレギュレートバルブ６４ａの開度は、ガード開度よりも小さくなり得るから、目標開度に基づくフィードバック制御を止めて、ガード開度に基づく排気圧ガード制御を行う。これによって、レギュレートバルブ６４ａの開度は、同図（ｂ）に実線で示すように、ガード開度となるように調整される。
【００６４】
このようにして、レギュレートバルブ６４ａの開度がガード開度となるように調整される結果、レギュレートバルブ６４ａの開度は、目標開度よりも大きくされるため、小型タービン６２ｂをバイパスする排気流量が増大して、排気圧力の上昇が抑制される。これにより、同図（ａ）に破線で示すように、目標開度に基づくフィードバック制御を継続した場合には、排気圧力は、その上限値を超えてしまうのに対し、排気圧ガード制御を行った場合は、排気圧力がその上限値を超えてしまうことが回避される。こうして、排気系の信頼性の拘束条件が保証される。こうした排気圧ガード制御は、ガード開度が図４に示すようなマップに従って設定される結果として、自動変速機７３が所定以下の低速段であるときに行われることになる。
【００６５】
この排気圧ガード制御は、一旦開始すると、目標開度に基づいてフィードバック制御されるレギュレートバルブ６４ａの開度が、ガード開度以上になるまで継続される。従って、目標過給圧に基づいて設定される目標開度がガード開度以上になれば、排気圧ガード制御が終了し、目標開度に基づくフィードバック制御に復帰することになる。
【００６６】
図６は、ＰＣＭ１０が実行する、レギュレートバルブ６４ａの制御に係るフローチャートである。先ず、スタート後のステップＳ１では、各種のパラメータ（信号）を読み込み、必要な演算を行う。具体的に、このステップ１では、前述したように、排気流量（エアフローセンサＳＷ７の検出値及び燃料噴射量により算出）と、コンプレッサ圧力比（過給圧センサＳＷ２の検出値、中間圧センサＳＷ８の検出値及び大気圧により算出）と、排気系の圧力損失（前記の排気流量及びＤＰＦ差圧センサＳＷ９の検出値により算出）とから、前記の式（１）に従って予測排気圧力を算出すると共に、その予測排気圧力と自動変速機７３の変速段とから、図４に示すマップに従って、レギュレートバルブ６４ａのガード開度を設定する。
【００６７】
また、ステップＳ１では、エンジン１の運転状態に基づき目標過給圧を設定し、それに対応するレギュレートバルブ６４ａの目標開度を設定する。
【００６８】
ステップＳ２では、ステップＳ１で設定した目標開度に基づき、過給圧のフィードバック制御を行う。これは、２ステージターボ過給機におけるレギュレートバルブ６４ａの通常の制御に対応する。
【００６９】
続くステップＳ３では、フィードバック制御されるレギュレートバルブ６４ａの開度が、ステップＳ１で設定したガード開度よりも小さいか否かを判定する。ステップＳ３では、フィードバック制御されるレギュレートバルブ６４ａの実際の開度がガード開度よりも小さいか否かを判定するようにしてもよいし、フィードバック制御に係る目標開度が、ガード開度よりも小さいか否かを判定するようにしてもよい。ステップＳ３の判定においてＮＯのとき、つまり、レギュレートバルブ６４ａの開度がガード開度以上のときには、そのままリターンをし、過給圧のフィードバック制御（つまり、レギュレートバルブ６４ａの通常制御）を継続する。一方、ステップＳ３の判定においてＹＥＳのとき、つまり、レギュレートバルブ６４ａの開度がガード開度よりも小さいときには、ステップＳ４に移行する。
【００７０】
ステップＳ４では、過給圧のフィードバック制御を停止し、排気圧ガード制御を行う。すなわち、レギュレートバルブ６４ａの開度を、設定したガード開度となるように制御する。これによって、レギュレートバルブ６４ａの開度は、過給圧のフィードバック制御を行う場合よりも大きくなり、前述の通り、排気圧力の上昇が抑制される。続くステップＳ５では、フィードバック制御に係る目標開度がガード開度よりも小さいか否かを判定し、この判定がＹＥＳのときにはステップＳ４に戻り、排気圧ガード制御を継続する。一方、ステップＳ５の判定がＮＯのとき、言い換えると目標開度がガード開度以上になれば、ステップＳ６に移行して、排気圧ガード制御を終了して、過給圧のフィードバック制御に復帰する。
【００７１】
図７は、図６に示すフローチャートに従って、レギュレートバルブ６４ａの開度制御を実際に行ったときの、（ａ）エンジン回転数、（ｂ）アクセル開度、（ｃ）燃料噴射量、（ｄ）過給圧、（ｅ）排気圧、及び（ｆ）レギュレートバルブ開度（制御値）の各パラメータの変化を示している。尚、この図は、自動変速機７３が３速のときに、全開加速を行った場合を示しており、エンジン１の運転状態は、図３の矢印で示すように遷移する。
【００７２】
先ず、アクセルペダルが踏み込まれて、同図（ｂ）に示すようにアクセル開度が全開となる全開加速が開始することに伴い、燃料噴射量が増大する（同図（ｃ）参照）。それと共に、エンジン回転数も上昇を開始する（同図（ａ）参照）。
【００７３】
このようなエンジン１の運転状態に応じて、同図（ｄ）に破線で示すように、目標過給圧が高くなるように設定され、それに応じたバルブ開度となるように、同図（ｆ）に実線で示すレギュレートバルブ６４ａの目標開度が設定される。目標開度となるようにレギュレートバルブ６４ａの開度が変更されることにより、実際の過給圧が、目標過給圧に追従するように次第に高まる（同図（ｄ）の実線参照）と共に、排気圧力も次第に高まる（同図（ｅ）の実線参照）。
【００７４】
一方で、同図（ｅ）に破線で示すように、前述のモデル式（１）に従って予測排気圧が算出され、それに応じて、同図（ｆ）に破線で示すようにガード開度が設定される。尚、図７の例では、排気流量が所定以上のときにガード開度を設定（演算）するように構成しているため、所定の時刻までは、ガード開度の値は０のままとなっている（図４のマップも参照）。
【００７５】
こうして設定した目標開度（同図（ｆ）の実線）とガード開度（同図（ｆ）の破線）とを比較し、目標開度の方が大きい（又は、目標開度とガード開度とが等しい）ときには、その目標開度に従ってレギュレートバルブ６４ａの開度を制御する（つまり、過給圧フィードバック制御）。一方、ガード開度の方が大きいときには、ガード開度に従ってレギュレートバルブ６４ａの開度を制御する（排気圧ガード制御）。図７の例では、同図（ｆ）に破線で囲むように、時刻Ｔ２においてガード開度の方が目標開度よりも大きくなるため、このタイミングで、それまでの過給圧フィードバック制御から、排気圧ガード制御に切り替わる。
【００７６】
その結果、予測排気圧力（これは、前述したように、レギュレートバルブ６４ａを全閉にしたと仮定したときの排気圧力である）は、同図（ｅ）に破線で示すように、時刻Ｔ２以降も上昇を続けて、排気圧力の上限値を超えてしまうのに対し、排気圧ガード制御に切り替えることによって、実際の排気圧力は、同図（ｅ）に実線で示すように、排気圧力の上昇が抑制されて、上限値を超えることが回避されている。
【００７７】
尚、同図（ｄ）に示すように、実過給圧（実線参照）は、排気圧ガード制御を行うことにより目標過給圧（破線参照）にまでは到達しない。そこで、気筒１１ａ内へ供給される新気量が、その分、減ってしまうことを考慮して、排気圧ガード制御の実行時は、燃料噴射量を減量するようにしてもよい。この減量制御は、図６のフローにおいてはステップＳ４で行えばよい。
【００７８】
予測排気圧力に応じて設定されるガード開度に基づく制御は、一種のフィードフォワード制御ということができ、目標過給圧に基づくフィードバック制御と、ガード開度に基づくフィードフォワード制御との組み合わせは、燃費及び排気エミッション性の向上と、排気系の信頼性の確保とを両立させることが可能になる。
【００７９】
尚、前述した排気圧ガード制御は、例えばタービンの直径φ（ｍｍ）と、そのターボ過給機の出力Ｗ（ｋＷ）との関係が、φ≦０．２Ｗ＋１６を、満足するような小型ターボ過給機を有するエンジンシステムにおいて、特に有効である。つまり、前記の関係式を満足するような小型ターボ過給機を有するエンジンシステムは、加速過渡時に排圧が上昇しやすいが、前記排気圧ガード制御によって排気系の信頼性の拘束条件を保証することが可能になる。
【００８０】
また、前記の構成では、排気圧力を予測し、その予測した排気圧力に基づいて排気圧ガード制御を行うようにしているが、例えば小型タービン６２ｂよりも上流側に排気圧力センサを配置し、その排気圧力センサが検出した排気圧力に基づいて、排気圧ガード制御への切り替えを行うようにしてもよい。この場合、ガード開度は、排気圧力センサが検出した排気圧力に基づいて設定すればよく、例えば図４に示すマップの横軸を、排気圧力センサの検出値に置き換えてもよい。
【００８１】
さらに、前記の例では、ロックアップクラッチ７２ａを比較的低車速の状態から締結させるようにしているが、このような特徴的な制御を行わない車両についても、ここに開示する技術を適用可能であることは言うまでもない。逆に、ロックアップクラッチ７２ａが締結されない状態では、加速時等においてトルクコンバータ７２のスリップが生じて、エンジン１の回転数が急上昇しやすく、それに伴い、排気圧力も急上昇してしまうが、前述した排気圧ガード制御によって、排気圧力が上限排気圧力を超えてしまうことを、未然に回避することが可能になる。つまり、排気圧ガード制御が、さらに有効となる。
【００８２】
また、自動変速機に限らず手動変速機を備えた車両に、ここに開示する技術を適用してもよい。手動変速機搭載の車両においては、エンジン回転数の急上昇は、自動変速機搭載の車両と比較して抑制されるが、手動変速機搭載の車両においても、排気圧力の急上昇という技術的課題が存在し、前述した排気圧ガード制御は、排気系の信頼性の拘束条件を満足させることが可能になる。
【符号の説明】
【００８３】
１  ディーゼルエンジン（エンジン）
１０  ＰＣＭ（制御器）
１１ａ  気筒
３０  吸気通路
４０  排気通路
６１  大型ターボ過給機（第２ターボ過給機）
６１ａ  大型コンプレッサ（第２コンプレッサ）
６１ｂ  大型タービン（第２タービン）
６２  小型ターボ過給機（第１ターボ過給機）
６２ａ  小型コンプレッサ（第１コンプレッサ）
６２ｂ  小型タービン（第１タービン）
６４  小型排気バイパス通路（バイパス路）
６４ａ  レギュレートバルブ（流量調整弁）
【図１】
0005891853.tif 000002
【図２】
0005891853.tif 000003
【図３】
0005891853.tif 000004
【図４】
0005891853.tif 000005
【図５】
0005891853.tif 000006
【図６】
0005891853.tif 000007
【図７】
0005891853.tif 000008